(57)【要約】  【課題】  会への出欠確認、及び会の進行表作成に対する手間の低減を図る。  【解決手段】  中央装置２は、会の進行表作成の元になる進行用ひな形を多数記憶しており、幹事の携帯電話器１０から会合の名称、日時、場所、開催時間及び会への参加を呼びかける募集者の名簿を受信し、名簿の送信先へ会への出欠問い合わせを送信する。出欠問い合わせの送信に応じて出席通知を送信した各携帯電話器１１〜１３に中央装置２はスピーチ、余興の募集問い合わせを送信し、返答されてきた募集内容及び進行用ひな形に基づき会の進行表を作成する。作成した進行表及び出席者の名簿は中央装置２から幹事の携帯電話器１０へ送信され、幹事は手間をかけることなく会の進行表及び出席者の名簿を取得する。【選択図】      図１
2006134258.tif 000002
【特許請求の範囲】
【請求項１】
端末装置と通信することが可能であり、時間に対応して会合の進行内容を規定した進行用ひな形を記憶する中央装置で会合の進行表を作成する進行表作成方法であって、
前記中央装置は、
会合への出欠問い合わせを送信する送信先を一の端末装置から受信するステップと、
受信した送信先に係る他の端末装置へ出欠問い合わせの送信を行うステップと、
該出欠問い合わせの送信に応じて他の端末装置から会合への出欠通知を受信するステップと、
出席通知を送信した端末装置へ前記進行用ひな形が規定する進行内容に係る問い合わせの送信を行うステップと、
該問い合わせの送信に応じて前記端末装置から返答を受信するステップと、
受信した返答及び進行用ひな形に基づき進行表を作成するステップと
を備えることを特徴とする進行表作成方法。
【請求項２】
前記中央装置は、楽曲を識別する複数の識別データを記憶しており、
前記返答として楽曲の再生を必要とする余興を行う旨を受信した場合、該楽曲に対応する識別データを複数の識別データの中から検索するステップを備え、
検索した識別データを作成する進行表に付加することを特徴とする請求項１に記載の進行表作成方法。
【請求項３】
端末装置と通信することが可能であり、時間に対応して会合の進行内容を規定した進行用ひな形を記憶する中央装置で会合の進行表を作成する進行表作成システムであって、
前記中央装置は、
会合への出欠問い合わせを送信する送信先を一の端末装置から受信する手段と、
受信した送信先に係る他の端末装置へ出欠問い合わせの送信を行う手段と、
該出欠問い合わせの送信に応じて他の端末装置から会合への出欠通知を受信する手段と、
出席通知を送信した端末装置へ前記進行用ひな形が規定する進行内容に係る問い合わせの送信を行う手段と、
該問い合わせの送信に応じて前記端末装置から返答を受信する手段と、
受信した返答及び進行用ひな形に基づき進行表を作成する手段と
を備えることを特徴とする進行表作成システム。
【請求項４】
外部の装置と通信する手段、及び時間に対応して会合の進行内容を規定した進行用ひな形を記憶する手段を備える進行表作成装置であって、
会合への出欠問い合わせの送信先を受信する手段と、
受信した送信先へ出欠問い合わせの送信を行う手段と、
該出欠問い合わせの送信に応じて送信先から会合への出欠通知を受信する手段と、
出席通知を送信した送信先へ前記進行用ひな形が規定する進行内容に係る問い合わせの送信を行う手段と、
該問い合わせの送信に応じて前記送信先から返答を受信する手段と、
受信した返答及び進行用ひな形に基づき進行表を作成する手段と
を備えることを特徴とする進行表作成装置。
【請求項５】
再生指示の受付に応じて楽曲を再生出力するカラオケ装置において、
前記請求項２に記載の進行表作成方法で作成された進行表を受け付ける手段と、
計時の開始指示を受け付ける計時受付手段と、
該計時受付手段が開始指示を受け付けた場合、計時を行う計時手段と、
前記進行表に付加された識別データに係る楽曲の再生指示を受け付けた場合、前記進行表で規定する該楽曲の再生に対応する時間及び前記計時手段が計時を行った時間の比較を行う比較手段と、
該比較手段の比較に係る結果を出力する出力手段と
を備えることを特徴とするカラオケ装置。
【請求項６】
再生指示の受付に応じて楽曲を再生出力するカラオケ装置において、
時間に対応して再生出力する楽曲を規定したデータを受け付ける手段と、
計時の開始指示を受け付ける計時受付手段と、
該計時受付手段が開始指示を受け付けた場合、計時を行う計時手段と、
前記データが規定する楽曲の再生指示を受け付けた場合、該楽曲に対応する時間及び前記計時手段が計時を行った時間の比較を行う比較手段と、
該比較手段の比較に係る結果を出力する出力手段と
を備えることを特徴とするカラオケ装置。
【発明の詳細な説明】
【技術分野】
【０００１】
本発明は、結婚式の披露宴、祝賀会、忘年会、新年会、及び各種二次会といった様々な会に対する進行内容を時間に対応させて規定した進行表を容易に作成可能にすると共に、そのような会でカラオケ装置を用いる場合は予定時間に対する会の進行状況を確認できるようにした進行表作成方法、進行表作成システム、進行表作成装置、及びカラオケ装置に関する。
【背景技術】
【０００２】
従来、結婚式の披露宴、祝賀会、忘年会、新年会、及び各種二次会といった様々な会が催されている。このような会を開く場合、会の幹事が参加呼びかけ、進行内容の取り決め等を行う。また、会を行う当日は幹事が司会となって会の運営を行うことが一般的であり、予め作成した進行内容を規定した進行表に基づき会の進行を行うことになる。
【０００３】
また、会では食事及び団欒以外に、参加者によるスピーチ及び余興などが行われる場合がある。余興としてはカラオケ曲が歌われることが多く、参加者がカラオケの余興を行うときは幹事によりカラオケ装置が持ち込まれるか、又はカラオケ装置が予め設置されている場所で会を開くことになる。
【０００４】
なお、会の参加者を管理する方法に関しては下記の特許文献１で開示されており、幹事の業務を支援する方法に関しては下記の特許文献２で開示されている。また、従来のカラオケ装置については下記の特許文献３で開示されている。
【特許文献１】特開２００３−１９９１３９号公報
【特許文献２】特開２００２−１８３４７９号公報
【特許文献３】特開２００４−２５８５６０号公報
【発明の開示】
【発明が解決しようとする課題】
【０００５】
幹事による会への参加問い合わせは通常、郵便、電話、ファクシミリの送信等の手段で行われるため、このような手段を用いて参加問い合わせを行う幹事の負担が大きいと云う問題がある。また、会でスピーチ及び余興を行うことを計画した場合、参加者の中からスピーチ及び余興を行う人を幹事が特定し、その人に問い合わせを行う必要があり、この点でも会の事前の準備に対する幹事の負担が大きいと云う問題がある。さらに、このような参加者、スピーチ及び余興を行う人を特定した上で、幹事は会当日の進行表を作成しなければならないと云う問題がある。
【０００６】
一方、会の当日は、スピーチ時間の延長、余興として行われるカラオケに対するカラオケ装置の設定などにより予定通りに会が進行しない事態が生じると云う問題がある。また、会の進行を行う幹事は多くの役割をこなすため、会が予定通りに進行しているかを常時確認することは困難であり、余興の飛び入りに対する許可、又は時間不足による余興の取り止め等をスムーズに判断できないと云う問題がある。さらに、カラオケ装置は一般にカラオケに対する使用が想定されているので、他の余興として隠し芸、踊り等が行われる場合のＢＧＭ出力として積極的に活用されていないと云う問題がある。
【０００７】
本発明は、斯かる問題に鑑みてなされたものであり、参加問い合わせ対する幹事の負担、並びにスピーチ及び余興の特定に係る幹事の負担を低減してスムーズに会の進行表を作成できるようにした進行表作成方法、進行表作成システム、及び進行表作成装置を提供することを目的とする。
また、本発明は、会で使用されるカラオケ装置の設定準備を容易にすると共に、会の進行状況を容易に把握できるようにしたカラオケ装置を提供することを目的とする。
【課題を解決するための手段】
【０００８】
上記課題を解決するために第１発明に係る進行表作成方法は、端末装置と通信することが可能であり、時間に対応して会合の進行内容を規定した進行用ひな形を記憶する中央装置で会合の進行表を作成する進行表作成方法であって、前記中央装置は、会合への出欠問い合わせを送信する送信先を一の端末装置から受信するステップと、受信した送信先に係る他の端末装置へ出欠問い合わせの送信を行うステップと、該出欠問い合わせの送信に応じて他の端末装置から会合への出欠通知を受信するステップと、出席通知を送信した端末装置へ前記進行用ひな形が規定する進行内容に係る問い合わせの送信を行うステップと、該問い合わせの送信に応じて前記端末装置から返答を受信するステップと、受信した返答及び進行用ひな形に基づき進行表を作成するステップとを備えることを特徴とする。
【０００９】
第２発明に係る進行表作成方法は、前記中央装置は、楽曲を識別する複数の識別データを記憶しており、前記返答として楽曲の再生を必要とする余興を行う旨を受信した場合、該楽曲に対応する識別データを複数の識別データの中から検索するステップを備え、検索した識別データを作成する進行表に付加することを特徴とする。
【００１０】
第３発明に係る進行表作成システムは、端末装置と通信することが可能であり、時間に対応して会合の進行内容を規定した進行用ひな形を記憶する中央装置で会合の進行表を作成する進行表作成システムであって、前記中央装置は、会合への出欠問い合わせを送信する送信先を一の端末装置から受信する手段と、受信した送信先に係る他の端末装置へ出欠問い合わせの送信を行う手段と、該出欠問い合わせの送信に応じて他の端末装置から会合への出欠通知を受信する手段と、出席通知を送信した端末装置へ前記進行用ひな形が規定する進行内容に係る問い合わせの送信を行う手段と、該問い合わせの送信に応じて前記端末装置から返答を受信する手段と、受信した返答及び進行用ひな形に基づき進行表を作成する手段とを備えることを特徴とする。
【００１１】
第４発明に係る進行表作成装置は、外部の装置と通信する手段、及び時間に対応して会合の進行内容を規定した進行用ひな形を記憶する手段を備える進行表作成装置であって、会合への出欠問い合わせの送信先を受信する手段と、受信した送信先へ出欠問い合わせの送信を行う手段と、該出欠問い合わせの送信に応じて送信先から会合への出欠通知を受信する手段と、出席通知を送信した送信先へ前記進行用ひな形が規定する進行内容に係る問い合わせの送信を行う手段と、該問い合わせの送信に応じて前記送信先から返答を受信する手段と、受信した返答及び進行用ひな形に基づき進行表を作成する手段とを備えることを特徴とする。
【００１２】
第５発明に係るカラオケ装置は、再生指示の受付に応じて楽曲を再生出力するカラオケ装置において、前記進行表作成方法で作成された進行表を受け付ける手段と、計時の開始指示を受け付ける計時受付手段と、該計時受付手段が開始指示を受け付けた場合、計時を行う計時手段と、前記進行表に付加された識別データに係る楽曲の再生指示を受け付けた場合、前記進行表で規定する該楽曲の再生に対応する時間及び前記計時手段が計時を行った時間の比較を行う比較手段と、該比較手段の比較に係る結果を出力する出力手段とを備えることを特徴とする。
【００１３】
第６発明に係るカラオケ装置は、再生指示の受付に応じて楽曲を再生出力するカラオケ装置において、時間に対応して再生出力する楽曲を規定したデータを受け付ける手段と、計時の開始指示を受け付ける計時受付手段と、該計時受付手段が開始指示を受け付けた場合、計時を行う計時手段と、前記データが規定する楽曲の再生指示を受け付けた場合、該楽曲に対応する時間及び前記計時手段が計時を行った時間の比較を行う比較手段と、該比較手段の比較に係る結果を出力する出力手段とを備えることを特徴とする。
【００１４】
第１発明、第３発明、及び第４発明にあっては、進行用ひな形を記憶する中央装置が一の端末装置から送られた送信先を受信することに伴って、出欠問い合わせ及び進行内容に係る問い合わせを行い、さらに問い合わせに対する返答及び進行用ひな形に基づき進行表を作成するので、一の端末装置の所有者（例えば、会の幹事）は、会合（以下、「会」と称す）への参加を呼びかける者が有する他の端末装置の連絡先（送信先）を中央装置へ伝えるだけで、自動的に出欠確認、進行表などが作成されるようになり、会の事前準備に要する負担を従来に比べて大幅に低減できる。なお、端末装置としては、携帯電話器、通信機能を具備したパーソナルコンピュータ、及び通信機能を具備したＰＤＡ（Personal Digital Assistant）等が該当する。
【００１５】
なお、中央装置は、複数種類の進行用ひな形を記憶すると共に複数種類の中から一の進行用ひな形の選択を一の端末装置から受信するようにしてもよく、この場合、一の端末装置の所有者は、予定している会の種類に適した進行用ひな形を選択できるようになり、実際の会の内容に適した進行表を作成できる。
【００１６】
また、中央装置は、会合でスピーチ及び／又は余興を行う回数を一の端末装置から受信して、受信した回数に応じて進行用ひな形を変更してもよく、この場合、進行用ひな形の内容を幹事が想定している会の内容に一段と近付けることができ、より現実的に実際の会に適合した進行表の作成を行える。さらに、中央装置は、作成した進行表を一の端末装置へ送信してもよく、この場合、一の端末装置は自動的に作成された進行表を取得できるようになり、取得した進行表により会の進行を事前に把握できると共に、会当日は取得した進行表に基づき会の運営をスムーズに進行できる。
【００１７】
第２発明にあっては、中央装置は返答として楽曲の再生を必要とする余興を行う旨を受信した場合、記憶する複数の識別データに対し検索を行い、検索した識別データを進行表に付加するので、完成した進行表には楽曲の識別データが載っていることになり、会で使用するカラオケ装置で改めて楽曲の検索を行うことが不要になり、カラオケ装置の設定に係る手間を低減できる。また、このように事前に楽曲の識別データを進行表に載せることで、様々な楽曲を進行表に基づいて指定できるようになり、カラオケ装置をカラオケ以外の余興に対するＢＧＭ出力、さらには開始時及び終了時等に対するＢＧＭ出力に活用できる。
【００１８】
第５発明にあっては、カラオケ装置は楽曲の識別データが付加された進行表を受け付けるので、進行表に付加された識別データに基づき楽曲を特定できるようになり、楽曲の指定操作又は楽曲の検索操作を不要にできる。また、カラオケ装置は、開始指示の受け付けに基づき計時を行うと共に、進行表の識別データに係る楽曲の再生指示を受け付けた場合、進行表で規定された楽曲再生に対応する時間と計時した時間とを比較し、その比較結果を出力するので、会の進行状況を楽曲の再生指示をトリガーにして確認でき、会の幹事はカラオケ装置により現在の進行状況が予定より遅れ気味か、又は進み気味であるかを容易に把握できる。
【００１９】
第６発明にあっては、カラオケ装置は時間に対応して再生出力する楽曲を規定したデータを受け付けるので、受け付けたデータにより再生対象の楽曲を容易に特定できるようになる。また、カラオケ装置は、開始指示の受け付けに基づき計時を行うと共に、受け付けたデータが規定する楽曲の再生指示を受け付けた場合、該データで規定された楽曲再生に対応する時間と計時した時間とを比較し、その比較結果を出力するので、実際に楽曲が再生される時間と前記データに規定された時間とを比較して、データに規定された時間に基づき楽曲再生が進行しているか否かを判断できるようになる。
【００２０】
カラオケ装置の出力手段は、比較手段の比較による時間差が基準時間を超える場合、時間差が生じている旨を出力することも可能であり、このようにすることで、実際の楽曲再生に対する進行状況と予定されている進行状況との差を一段と容易に確認できるようになる。
【発明の効果】
【００２１】
第１発明、第３発明、及び第４発明にあっては、中央装置が一の端末装置から送られた送信先を受信することに伴って出欠問い合わせを行うので、自動的に出欠の確認を取ることができ、会に対する出欠確認に係る手間を大幅に低減できる。また、中央装置は、進行内容に係る問い合わせを行って、その返答を受信するので、問い合わせの内容に応じて会でスピーチ、余興等を行う人の調整も自動的に行うことができ、幹事のスピーチ、余興に対する調整処理を軽減できる。さらに、中央装置は問い合わせに対する返答及びベースとなる進行用ひな形に基づき進行表を作成するので、実際に行われる会に合致した内容の進行表を幹事に労力をかけることなく自動で作成できる。
【００２２】
第２発明にあっては、中央装置は返答として楽曲の再生を必要とする余興を行う旨を受信した場合、記憶する複数の識別データに対し検索を行い、検索した識別データを進行表に付加するので、会で使用するカラオケ装置の設定に係る手間を進行表に付加された識別データで低減でき、また、ＢＧＭ用の識別データを付加すればカラオケ装置をＢＧＭ出力に活用できる。
【００２３】
第５発明にあっては、楽曲の識別データが付加された進行表を受け付けることで、楽曲の指定操作又は楽曲の検索操作を不要にできる。また、カラオケ装置は、進行表の識別データに係る楽曲の再生指示を受け付けた場合、進行表で規定された楽曲再生に対応する時間と計時した時間とを比較し、その比較結果を出力するので、会の進行状況を楽曲の再生指示に基づき確認できる。
【００２４】
第６発明にあっては、時間に対応して再生出力する楽曲を規定したデータを受け付けるので、受け付けたデータにより再生対象の楽曲を容易に特定できる。また、カラオケ装置は受け付けたデータが規定する楽曲の再生指示を受け付けた場合、該データで規定された楽曲再生に対応する時間と計時した時間とを比較し、その比較結果を出力するので、実際に楽曲が再生される時間帯が適切か否かを容易に確認できる。
【発明を実施するための最良の形態】
【００２５】
図１は、本発明の実施形態に係る進行表作成システム１にカラオケ装置６を接続した構成を示している。進行表作成システム１は、ネットワーク４に接続されてウェブサイトを開設している中央装置２（進行表作成装置に相当）が、ユーザが有する端末装置からのアクセスに基づいてユーザが開催する会（会合）に合致した内容の進行表を作成するものである。
【００２６】
中央装置２は楽曲ＤＢ（データベース）装置３を有しており、ネットワーク４に設けられた多数の無線通信基地局５ａ〜５ｎを介して携帯電話器１０〜１３と通信を行う。携帯電話器１０（一の端末装置に相当）はユーザが開催する会の幹事が所有するものであり、携帯電話器１１〜１３（他の端末装置に相当）は会への参加問い合わせが行われる者が、それぞれ所有するものである。
【００２７】
各携帯電話器１０〜１３の基本的な構成は同一であり、携帯電話器１０で代表して説明すると、図１に示すように携帯電話器１０はモニタ部１０ａ及びユーザからの操作を受け付ける操作部１０ｂを有し、その他、図示していないが通話機能、通信機能及びデータ記憶機能を実現する回路部等を備える。また、本実施形態では、幹事が所有する携帯電話器１０はカラオケ装置６のリモコン機能を具備し、カラオケ装置６へ操作指示等を発する赤外光出射部１０ｃを有する。なお、図１では参加問い合わせの対象者にそれぞれ所有される機器として３台の携帯電話器１１〜１３を示しているが、本発明の進行表作成システム１では３台以上の携帯電話器に勿論対応可能である。
【００２８】
また、ネットワーク４に接続されたカラオケ装置６は、ユーザが開催する会の当日に使用されるものであり、会の最中に進行表作成システム１で作成された進行表に基づき楽曲の再生出力及び会の進行管理を行うものである。以下、会の準備段階での処理に関連する進行表作成システム１の内容を先に説明し、その後にカラオケ装置６の内容について説明する。
【００２９】
図２は、進行表作成システム１の中心的な処理を行う中央装置２の内部構成を示しており、中央装置２は各種処理を行う制御部２ａ、通信処理を行う通信部２ｂ、ＲＡＭ２ｃ、ＲＯＭ２ｄ、接続部２ｅ及び記憶装置２ｆを内部バスで接続した構成にしている。
【００３０】
制御部２ａは、記憶装置２ｆに記憶されているプログラムＰに基づき様々な処理を行っており、例えば、ウェブサイトに関連する処理、データの送受に関連する処理、進行表の作成に関連する処理、楽曲ＤＢ装置３に対する検索処理、及び装置内各部の制御処理等を行う。通信部２ｂはネットワーク４に接続されており、外部からのアクセスに基づき中央装置２がネットワーク上に開設する図３（ａ）に示す「宴会運営お助けサイト」のトップページ２０をアクセス元の機器（携帯電話器等）で表示させるためのデータの送信、又はアクセス元の機器からのデータ受信等を行う。
【００３１】
ＲＡＭ２ｃは、制御部２ａが行う基本的な処理プログラムを記憶し、ＲＯＭ２ｄは制御部２ａの処理に係る各種データ、プログラム等を一時的に記憶するものである。接続部２ｅは楽曲ＤＢ装置３と接続されており、制御部２ａの制御に基づき楽曲ＤＢ装置３とデータの送受を行う。
【００３２】
なお、楽曲ＤＢ装置３は接続部２ｅを介して接続されることにより中央装置２を構成する要素になっている。また、楽曲ＤＢ装置３はネットワーク４を介して楽曲を配信する機能を有し、配信する楽曲をその楽曲を識別する識別データと対応させて複数記憶している。楽曲ＤＢ装置３が記憶する多数の楽曲から所望の楽曲を特定するには、曲名、歌手名等に基づき所望の楽曲を検索する方式と、所望する楽曲の識別データに基づき検索する方式とがある。
【００３３】
記憶装置２ｆは本実施形態では大容量のハードディスク装置が適用されており、制御部２ａの処理内容を規定したプログラムＰ、複数種類の進行用ひな形を集めたひな形データベースＤＢ、各種ウェブページを表示させるためのウェブデータＤ、及び進行表作成処理の開始に伴いユーザから送信される募集者テーブルＴ等の各種データを記憶する。
【００３４】
ひな形データベースＤＢに含まれる進行用ひな形には、結婚披露宴用ひな形、披露宴二次会用ひな形、忘年会・新年会用ひな形、歓迎会用ひな形、及び送別会用ひな形などがある。各進行用ひな形は時間に対応して会の進行内容を規定したものであり、例えば、披露宴二次会用ひな形では、最初の５分間は花嫁花婿の入場、次の５分間は司会のコメント、次の５分間は最初のスピーチと乾杯の音頭、次の２０分間は食事と団欒、次の５分間は２回目のスピーチ、次の５分間は１回目の余興などと云うように時間帯に応じて行う内容を予め決めている。
【００３５】
なお、このような進行用ひな形の内容は会の種類により相異しており、会の種類に応じた内容がそれぞれ規定されており、会の種類によっては、余興が無くスピーチのみが規定されている進行用ひな形、スピーチが無く余興のみが規定されている進行用ひな形も存在している。
【００３６】
また、本実施形態の進行用ひな形は、ユーザからの変更指示に応じて内容を適宜変更できる構成になっている。例えば、各進行用ひな形は標準で会が２時間で終了するものとして作成されているが、実際に行われる会が２時間より長いときは、各内容の時間幅を延長すること、新たな内容を追加すること等で時間を延長することが可能であり、また、実際に行われる会が２時間より短いときは、各内容の時間幅の短縮、規定されている内容を削除すること等で対応できるようになる。
【００３７】
さらに、本実施形態の進行用ひな形は、時間帯に応じて規定されているスピーチ、余興を行う者の氏名をユーザからのデータ送信に基づいて書き込めるようになっており、また、余興の場合には行う余興の種類もユーザからのデータ送信に基づき書き込めるようになっている。特に余興として楽曲の再生を必要とするものには、その余興に対応して必要な楽曲の識別データも書き込めるようになっている。なお、楽曲の再生を必要とする場合とは余興がカラオケである場合、並びに隠し芸、手品、及び踊り等の余興でＢＧＭが必要な場合等が相当する。
【００３８】
さらにまた、本実施形態の進行用ひな形はユーザから送信されてくるコメント、宴会名、開始時刻、開始場所等の事項も適宜書き込めるようになっており、例えば、司会（幹事）がオープニング時に話す内容を書き込むことが可能である。
【００３９】
次に、記憶装置２ｆが記憶するウェブデータＤの内容を、制御部２ａが記憶装置２ｆに記憶されたプログラムに基づいて行う処理（データ受信に合わせて表示させるページを遷移させる処理、進行表の作成に係る処理等）と合わせて説明する。なお、この説明では、幹事所有の携帯電話器１０及び会への参加を呼びかける携帯電話器１１〜１３を用いた場合を想定している。
【００４０】
先ず、ウェブデータＤは、図３（ａ）〜図９に示す各種ウェブページ２０〜３４等を中央装置２へアクセスしたユーザの携帯電話器１０〜１３で表示させるためのデータの集合体であり、このようなデータはユーザからのアクセスによりページ遷移に従い適宜記憶装置２ｆから制御部２ａの制御に基づき読み出される。
【００４１】
図３（ａ）は、中央装置２が開設するウェブサイトのトップページ２０を示す。トップページ２０に係るウェブサイトは企業等で運営されており、このウェブサイトを通じて行われる進行表作成サービスを利用するユーザ（会の幹事）に課金することで、ウェブサイトを運営する企業は収益を得ている。トップページ２０は、表示されている一部がユーザからの操作を受け付けるように構成されており、具体的には「［ココ］に空メールを」と記載されている行を携帯電話器１０の操作部１０ｂで選択することで、携帯電話器１０から中央装置２へメールが送信されるようになっている。
【００４２】
なお、メールの送信により携帯電話器１０の所有者を識別する情報、メールアドレス等のデータを中央装置２が取得し、このようなデータの取得に伴い「宴会運営お助けサイト」に係る進行表作成サービスに対して携帯電話器１０のユーザの登録処理を制御部２ａで行うことになる。なお、制御部２ａは登録が完了すると、登録したデータを記憶装置２ｆに記憶する。
【００４３】
図３（ｂ）は、ユーザの登録処理の完了後に携帯電話器１０のモニタ部１０ａで表示されるウェブページ２１を示しており、ユーザが行う会（宴会）の種類の選択用のページである。なお、「結婚披露宴」、「披露宴二次会」等の各種会の種類は、上述したトップページ２０と同様にユーザの操作により選択可能になっており、選択された会の種類は中央装置２へ送信される。また、中央装置２では選択された会の種類を受信すると、その種類に応じた進行用ひな形をひな形データベースから抽出する処理を制御部２ａの制御に基づき行う。
【００４４】
図４（ａ）は、宴会の種類選択後に携帯電話器１０のモニタ部１０ａに表示されるウェブページ２２を示し、会への参加を問い合わせる募集者の名簿を中央装置２へ送信することをユーザへ促す旨を記載したページである。なお、募集者の名簿とは、幹事により予め作成されて携帯電話器１０に記憶されているものとし、募集者の名簿には氏名及び各人が有する携帯電話器のメールアドレス（送信先に相当）が少なくとも記載されている。
【００４５】
モニタ部１０ａにウェブページ２２が表示されると、ユーザは携帯電話器１０に記憶する募集者の名簿を中央装置２へ送信することになり、中央装置２は受信した募集者の名簿を募集者テーブルＴとして登録されたユーザ（幹事）及び選択された進行用ひな形と対応させて記憶装置２ｆに記憶することになる。
【００４６】
図４（ｂ）は、募集者の名簿の送信後に携帯電話器１０のモニタ部１０ａに表示されるウェブページ２３を示し、宴会の名称、日時、場所、開催時間の登録をユーザから受け付けるページである。このウェブページ２３で入力された事項は中央装置２へ送信され、制御部２ａは受信した事項を進行用ひな形に適宜書き込む処理を行うと共に、日時及び開催時間に対応させて進行用ひな形に規定されている時間を調整する処理を行う。
【００４７】
具体的には、開始する時刻に合わせて規定した時間帯の時刻を特定し、例えば、最初の５分間は花嫁花婿の入場、次の５分間は司会のコメントと規定した進行用ひな形が選択されている場合で、開始時刻が５時と云う登録を受けると、５時から５時５分まで花嫁花婿の入場、５時５分から５時１０分まで司会のコメントと云うように進行用ひな形の時間帯を書き直す処理が行われる。また、受信した開催時間が進行用ひな形の標準時間である２時間と相異する場合は、制御部２ａが進行用ひな形の内容を適宜変更して全体の時間と登録された開催時間とを一致させる。
【００４８】
図４（ｃ）は、宴会の名称、日時、場所、開催時間の登録後に携帯電話器１０のモニタ部１０ａに表示されるウェブページ２４を示し、宴会で行いたいスピーチの回数、余興の回数の登録をユーザ（幹事）から受け付けるページである。このウェブページ２４で入力された事項も中央装置２へ送信され、制御部２ａは受信した事項に基づき進行用ひな形を変更するか否かを決定する。
【００４９】
即ち、制御部２ａは、受信したスピーチの回数及び余興の回数が進行用ひな形に予め規定されている内容と同じであれば、特に進行用ひな形を変更する処理は行わないが、スピーチの回数及び余興の回数が進行用ひな形に規定されている内容と相異すれば、登録された回数と同じになるように進行用ひな形の内容を変更する。なお、変更の仕方としては、食事と団欒に割り当てている時間の変更、内容の削除等で対応する。また、入力する回数として「０」を入力することも可能であり、スピーチに対し「０」回を入力するとウェブページ２４は余興の回数のみを受け付けることになり、また、余興に対し「０」回を入力するとウェブページ２４はスピーチの回数のみを受け付けることになる。
【００５０】
図５は、スピーチの回数及び余興の回数の登録後に携帯電話器１０のモニタ部１０ａに表示されるウェブページ２５を示し、図３（ｂ）で選択された種類の進行用ひな形をベースにして図４（ｂ）（ｃ）で登録された内容を反映して制御部２ａが作成した仮進行表を示すページである。
【００５１】
ウェブページ２５の仮進行表は、宴会の名称、日時、場所に加えて各時間帯に応じて行う内容を規定したものになっている。また、ウェブページ２５は、仮進行表の下側にユーザから仮進行表の承諾を受け付ける部分を設けており、「ＹＥＳ」の項目がユーザに選択されると、承諾した旨が中央装置２へ送信され仮進行表の内容が決定される。また、「ＮＯ」の項目がユーザに選択されると、仮進行表の内容を訂正する処理に進むことになる。
【００５２】
図６（ａ）は、図５のウェブページ２５で「ＹＥＳ」の項目が選択された場合に携帯電話器１０のモニタ部１０ａに表示されるウェブページ２６を示し、会への出欠を問い合わせる者への返答期限の選択を行うページである。ユーザにより選択された返答期限は中央装置２へ送信され、中央装置２で記憶されることになる。
【００５３】
図６（ｂ）は、返答期限の選択後に携帯電話器１０のモニタ部１０ａに表示されるウェブページ２７を示し、会への出欠問い合わせを送信してもよいかをユーザに確認するページである。「ＹＥＳ」の項目がユーザに選択されると、中央装置２は記憶している募集者テーブルＴの送信先へ会への出欠問い合わせを送信する処理を行う。また、「ＮＯ」の項目がユーザに選択されると、図６（ａ）のウェブページ２６を表示する段階へ戻る処理を行う。
【００５４】
図６（ｃ）は、図５のウェブページ２５で「ＮＯ」の項目が選択された場合に携帯電話器１０のモニタ部１０ａに表示されるウェブページ２８を示し、図５のウェブページ２５で示される仮進行表中の修正するスケジュール箇所の選択を行うページである。ユーザは修正を行う箇所を選択して修正する内容を入力すると、その内容は中央装置２へ送信され、制御部２ａが受信した内容に基づき仮進行表を修正し、図５に示す形態の修正されたウェブページを再度表示させる処理を行うことになる。
【００５５】
図７（ａ）は、図６（ｂ）のウェブページ２７で「ＹＥＳ」の項目が選択された場合、会への参加問い合わせの対象者が所有する携帯電話器１１〜１３でそれぞれ表示されるウェブページ２９を示す。ウェブページ２９は、予定されている会への出欠問い合わせに相当するページであり、幹事が携帯電話器１０により中央装置２に登録した会の名称、日時、場所内容及び出欠の返答の期限が表示されている。
【００５６】
また、ウェブページ２９にはＵＲＬ（図では、http:/abcd.vg/12。中央装置２へのアクセス先に相当）が表示されており、このＵＲＬ部分を携帯電話器１１〜１３での操作により選択されることで、各携帯電話器１１〜１３を識別する固有データ（例えば、メールアドレス）が出席通知として中央装置２へ送信されるようになっている。よって、中央装置２の制御部２ａは受信した固有データに基づき、会への募集者の中から出席者を自動的に選別する処理を行う。なお、制御部２ａは返答の期限までに出席通知を受信しなかった者に対しては欠席として扱うようにしている。
【００５７】
図７（ｂ）は、図７（ａ）のウェブページ２９でＵＲＬの欄が選択されて出席通知を送信した携帯電話器１１〜１３にのみ表示されるウェブページ３０を示す。ウェブページ３０は、進行用ひな形が規定する進行内容に係る問い合わせに相当するものであり、具体的には会で予定されているスピーチ、余興を行う人を募集する内容を記載したものである。このウェブページ３０の内容は、制御部２ａにより図５に示す仮進行表に基づき作成されており、仮進行表中のスピーチ及び余興に係る情報（時間帯及び内容等）を抽出して選択可能に作成されている。
【００５８】
また、制御部２ａではスピーチ及び余興が選択されると随時ウェブページ３０の内容を書き換えており、選択可能な対象には「○」を表示し、既に申込みがあり選択不可能な対象には「×」を表示するようにしている。なお、本実施形態の制御部２ａでは申込み順にスピーチ及び余興を行う者を決定し、決定した内容を仮進行表の対応する欄に書き込む処理を行っている。
【００５９】
図７（ｂ）のウェブページ３０が携帯電話器１１〜１３で表示された場合の携帯電話器側の処理は、例えば、携帯電話器１１の所有者である会への参加者が余興を行うことを希望する場合、「余興４」「余興５」は既に他の参加者が行うことが決定されているので、「○」が表示されている「余興１」〜「余興３」の中から希望する時間帯のものを選択することになる。「余興１」〜「余興３」のいずれかの欄が選択された場合、選択された欄の内容及び選択を行った携帯電話器１１の固有データが返答として自動的に中央装置２へ送信されるようになっている。よって、中央装置２では、選択された内容及び固有データを受信することで、参加者の中の誰が、どの項目を選択したかを把握する。
【００６０】
図８（ａ）は、図７（ｂ）のウェブページ３０で余興を選択した場合に携帯電話器１１〜１３で表示されるウェブページ３１を示す。ウェブページ３１は、余興の種類を選択するメニューに相当するものであり、余興の種類が選択可能に表示されている。よって、携帯電話器１１〜１３の所有者は、余興の種類をウェブページ３１で選択操作を行うことになる。なお、選択を行った場合、選択された内容が中央装置２へ送信され、制御部２ａは選択された内容に応じて次のページ遷移に係る処理を行う。
【００６１】
図８（ｂ）は、図８（ａ）のウェブページ３１で「１．カラオケ」が選択された場合に携帯電話器１１〜１３で表示されるウェブページ３２を示す。ウェブページ３２は楽曲の再生が必要な余興であるカラオケの楽曲を検索する検索メニューに相当するものであり、カラオケを行う楽曲の検索事項の受け付けが可能になっている。また、ウェブページ３２で入力された検索事項は中央装置２へ送信され、中央装置２では受信した検索事項に基づき制御部２ａが楽曲ＤＢ装置３の記憶する複数の楽曲データに対する識別データを検索して、検索事項に対応する楽曲の識別データを特定し、その識別データを仮進行表のカラオケが選択された時間帯に付加する処理を行う。
【００６２】
また、図８（ｃ）は、図８（ａ）のウェブページ３１で「２．手品」〜「５．その他」のいずれかが選択された場合に携帯電話器１１〜１３で表示されるウェブページ３３を示す。ウェブページ３３は、カラオケ以外の余興が選択された場合に、ＢＧＭが必要であるか否かを確認するページであり、「ＹＥＳ」又は「ＮＯ」の選択が可能になっている。「ＹＥＳ」が選択された場合は、その旨が中央装置２へ送信され、中央装置２は「ＹＥＳ」を選択した携帯電話器１１〜１３に図８（ｂ）のウェブページ３２を表示させる処理を行い、ＢＧＭの検索事項を入力させる。
【００６３】
また、図８（ｃ）のウェブページ３３で「ＮＯ」が選択された場合、又は図８（ｂ）のウェブページ３２で検索事項の入力が終了した後は、図示していないが、出席通知を行った携帯電話器１１〜１３に参加を受け付けた旨が表示され、特にスピーチ又は余興を希望した者は、スピーチ又は余興を行う時間帯、余興の種類等が表示されるように中央装置２が表示に係る処理を行う。このような処理を行うことで、会の参加者は自身が出席を行う旨が主催者側（幹事）に確認されたことを把握でき、また、スピーチ又は余興を行う人は、会の中のどのような時間帯で何分間、スピーチ又は余興を行う必要があるかを把握でき、スピーチ又は余興の準備を行い易くなる。
【００６４】
図９は、図７（ａ）〜図８（ｃ）に示す各ウェブページ２９〜３３に係る処理を経て中央装置２で作成された進行表を示すウェブページ３４であり、幹事の携帯電話器１０に表示されるものである。ウェブページ３４は、図５のウェブページ２５で示された仮進行表をベースにして参加者の中からスピーチ及び余興を行う人に氏名、余興の種類、及び楽曲の識別データ（識別番号）が書き込まれている。
【００６５】
ウェブページ３４は、進行表の下方に選択可能な「ＹＥＳ」と「ＮＯ」の欄が設けてあり、「ＹＥＳ」の欄が携帯電話器１０で選択された場合、その旨が中央装置２へ送信され、制御装置２ａは作成した進行表及び出席者の名簿を幹事の携帯電話器１０へ送信する処理を行う。また、「ＮＯ」の欄が携帯電話器１０で選択された場合、その旨が中央装置２へ送信され、中央装置２では進行表の修正を行うウェブページ（図示せず）を携帯電話器１０に表示させる処理を行い、携帯電話器１０側ではコメントする内容を書き加える等の修正を行うことで最終的に進行表を作成し、それ以降は「ＹＥＳ」の欄を選択した場合の処理が行われることになる。
【００６６】
図１０の第１フローチャートは上述した構成の進行表作成システム１が行う一連の処理を進行表作成方法として概略的にまとめたものである。以下、進行表作成方法の処理手順を第１フローチャートに従って説明する。なお、会の幹事は、進行表作成システム１が行うサービスを利用するに当たり、会の名称、日時、場所及び開催時間を予め決めていると共に、会への参加を呼びかける募集者の名簿（募集者の氏名及び募集者の携帯電話器のメールアドレスを少なくとも記載したもの）を予め準備しているものとする。
【００６７】
先ず、幹事は携帯電話器１０で中央装置２が開設しているウェブサイトへアクセスする（Ｓ１）。中央装置２は携帯電話器１０に図３（ａ）のトップページ２０を表示させるためのトップページデータを送信する（Ｓ２）。携帯電話器１０ではトップページ２０の表示に伴い登録に係る操作を行い（Ｓ３）、その操作の内容を示すデータが中央装置２へ送信される。中央装置２では、登録に係る操作内容を示すデータの受信に従い、次に図３（ｂ）に示すウェブページ２１を表示させるためにページデータの送信を行い（Ｓ４）、携帯電話器１０では表示されるウェブページ２１に対して所要の操作を行い、その操作の内容を示すデータを中央装置２へ送信する（Ｓ５）。
【００６８】
なお、第１フローチャートでは、中央装置２から各ページデータの送信を行う処理（Ｓ４）と、携帯電話器１０から各データを送信する処理（Ｓ５）とは包括的に表現したものである。具体的にＳ４の処理では、図３（ｂ）のウェブページ２１〜図４（ｃ）のウェブページ２４までを表示させるためのページデータを携帯電話器１０からのデータ受信に応じて順次送信する内容を含むものとし、また、Ｓ５の処理でも各ウェブページ２１〜２４に対する操作を示すデータが中央装置２へ順次送信される内容を含むものとする。
【００６９】
次に中央装置２では、携帯電話器１０から受信した内容と進行表ひな形に基づき仮進行表を作成し、仮進行表を含むウェブページ２５（図５参照）を携帯電話器１０で表示させるデータを送信し（Ｓ６）、携帯電話器１０では、作成された仮進行表を確認して募集者の名簿に載った送信先への出欠問い合わせの送信を承認して（Ｓ７）、その旨を中央装置２へ送信する。
【００７０】
なお、上述したＳ６、Ｓ７の処理も包括的に表現されたものであり、実際的なＳ６の処理では、図５のウェブページ２５〜図６（ｃ）のウェブページ２８までを表示させるためのページデータを携帯電話器１０からのデータ受信に応じて順次送信する内容を含み、Ｓ７の処理では各ウェブページ２５〜２８に対する操作を示すデータが中央装置２へ順次送信される内容を含む。また、Ｓ７の処理で携帯電話器１０は、出欠問い合わせの送信を承認する際には、募集者の名簿を中央装置２へ送信する処理も行う。
【００７１】
続いて、中央装置２は図７（ａ）のウェブページ２９を募集者が所有する各携帯電話器１１〜１３で表示させるために出欠問い合わせに係るデータを各携帯電話器１１〜１３へ送信する（Ｓ８）。各携帯電話器１１〜１３は、データの受信に伴いウェブページ２９を表示する処理を行い各携帯電話器１１〜１３の所有者の意向に従い出席する場合は、ウェブページ２９上のＵＲＬ欄を選択することで出席通知を送信する（Ｓ９）。
【００７２】
出席通知を受信した中央装置２は、出席通知を送信した携帯電話器１１〜１３で図７（ｂ）のウェブページ３０を表示させるために、スピーチ・余興の募集に係るデータを携帯電話器１１〜１３（出席通知を行った機器に相当）へ送信する（Ｓ１０）。携帯電話器１１〜１３では、表示されるウェブページ３０に従い所要の項目を選択してスピーチ・余興の有無を送信する（Ｓ１１）
【００７３】
なお、上述したＳ１０、Ｓ１１の処理も包括的に表現されたものであり、実際的なＳ１０の処理では、図７（ｂ）のウェブページ３０〜図８（ｃ）のウェブページ３３までを表示させるためのページデータを各携帯電話器１１〜１３から送られるデータの受信に応じて中央装置２が順次送信する内容を含み、Ｓ１１の処理では各ウェブページ３０〜３３に対する操作を示すデータが中央装置２へ順次送信される内容を含んでいる。なお、スピーチ・余興の申し込んだ者の携帯電話器１１〜１３には、スピーチ・余興を受託した旨及びスピーチ・余興を行う時間帯等を通知するデータが中央装置２から送信される。
【００７４】
それから中央装置２は、各携帯電話器１１〜１３から受信したデータ（返答）及び仮進行表に基づき進行表を作成し、作成した進行表が示されたウェブページ３４を携帯電話器１０で表示させるためのデータを携帯電話器１０へ表示し、携帯電話器１０からのダウンロードの要求に基づき進行表のデータ及び出席者のデータを携帯電話器１０へ送信する（Ｓ１２）。
【００７５】
最後に、幹事の携帯電話器１０は、中央装置２から進行表のデータ及び出席者のデータを受信する（Ｓ１３）。よって、上述した進行表作成システム１が行うサービスを利用した幹事は、会の名称、日時、場所及び開催時間を予め決めると共に、会への参加を呼びかける募集者の名簿を準備しておくだけで、自動的に出欠の確認を行えると共に、会当日の進行表を取得できるようになる。さらに、進行表では会でスピーチ、余興を行う者の割当も自動的に行われているので、会の準備に対する幹事の負担を従来に比べて大幅に低減できている。また、スピーチ、余興を行う者は、予め行う時間帯が知らされているので、心構え及び準備等に対し余裕が生まれ好適である。
【００７６】
図１１は、会当日に使用されるカラオケ装置６の構成を示している。カラオケ装置６は、各種制御処理を行うカラオケ制御部６ａを有し、このカラオケ制御部６ａに通信部６ｂ、ＲＡＭ６ｃ、ＲＯＭ６ｄ、記憶装置６ｅ、リモコン受光部６ｆ、モニタコントローラ６ｇ、インタフェース部６ｉ、シンセサイザ部６ｍ、及び記憶媒体装着部６ｐを内部バス６ｑで接続している。
【００７７】
通信部６ｂは図１に示すネットワーク４に接続されており、ネットワーク４を経由して楽曲ＤＢ装置３などの楽曲データ（モニタ表示用の画像データも含む）を記憶する装置にアクセスし、楽曲データを受信するものである。ＲＡＭ６ｃはカラオケ制御部６ａが行う基本的な処理を規定したプログラムを記憶し、ＲＯＭ６ｄはカラオケ制御部６ａが行う処理に係るデータ等を一時的に記憶する。記憶装置６ｅはカラオケ制御部６ａの処理内容を規定したプログラムを記憶すると共に、通信部６ｂが受信した楽曲データ及び各種データの記憶も行う。
【００７８】
リモコン受光部６ｆは、カラオケ装置６の図示しないリモートコントローラからの操作信号を含んだ赤外光を受光するものであり、本実施形態ではカラオケ装置６のリモコン機能を備える幹事が所有する携帯電話器１０の赤外光出射部１０ｃとの間で赤外線通信を可能にしている。よって、携帯電話器１０からもカラオケ装置６へ楽曲の再生指示、停止指示等の各種指示を送信でき、また、携帯電話器１０が記憶する進行表のデータも赤外線通信によりカラオケ装置６へ送信でき、送信された進行表のデータは記憶装置６ｅで記憶されることになる。
【００７９】
モニタコントローラ６ｇはモニタ部６ｈと接続されており、画像データの再生に伴い画像をモニタ部６ｈに表示する処理を行う。インタフェース部６ｉはユーザからの操作指示を直接的に受け付ける操作部６ｊと、現在の操作状況、設定状況等の各種情報を表示できる小型の表示部である状況表示部６ｋと接続されている。
【００８０】
シンセサイザ部６ｍはアンプミキサ部６ｎと接続されており、楽曲データを再生指示に基づいて再生処理を行い、再生した楽曲をアンプミキサ部６ｎを通じてスピーカ８から出力する処理を行う。また、アンプミキサ部６ｎはマイク７と接続されており、マイク７からの入力音を増幅してスピーカ８から出力する処理も行う。記憶媒体装着部６ｐは、半導体メモリのような記憶媒体を装着できる構成になっており、装着された半導体メモリに対してデータの読み出し及び書き込みを行う。
【００８１】
カラオケ装置６では、通信部６ｂ、リモコン受光部６ｆ又は記憶媒体装着部６ｐを通じて外部からデータを受け付けることが可能であり、受け付けたデータに楽曲を識別する識別データが含まれていると、自動的に通信部６ｂよりネットワーク経由で識別データに対応する楽曲データを受信し、記憶装置６ｅに記憶する処理をカラオケ制御部６ａの制御に基づき行うようになっている。なお、カラオケ制御部６ａは操作部６ｊで受け付ける再生指示又はリモコン受光部６ｆで受け付ける再生指示に基づいて、記憶する楽曲データの再生処理を開始する。
【００８２】
また、カラオケ装置６は、複数の楽曲データを記憶する場合、再生指示に基づき順次再生処理を行い、特に、各楽曲データを再生する順序が規定されている場合、その順序に従い再生処理を行う。
【００８３】
さらに本実施形態のカラオケ装置６のカラオケ制御部６ａは、時間を計測する計時機能を具備しており、操作部６ｊ又はリモコン受光部６ｆで計時の開始指示を受け付けた場合、時間の計測を開始する。
【００８４】
さらにまた本実施形態のカラオケ装置６では、時間に対応して再生出力する楽曲（楽曲データ）を規定したデータを受け付けた場合、各楽曲データの再生指示を受け付けたときに、その楽曲データに対応する時間と計測している時間との比較をカラオケ制御部６ａが行う。その比較の結果、一定の基準時間内であれば「○」と云う表示出力を状況表示部６ｋで行い、一定の基準時間を超えると、その時間差を状況表示部６ｋで行う。なお、一定の基準時間は初期値として１０分が設定されているが、操作部６ｊの操作又はリモコン受光部６ｆで受け付ける操作信号により基準時間を変更することも可能になっている。
【００８５】
また、本実施形態のカラオケ装置６は、時間に対応して再生出力する楽曲を規定したデータを受け付けた場合で、開始指示に基づき計時処理を行っているときは、受け付けたデータに規定されている最後の終了時間と計時している時間とを比較し、計時している時間が最後の終了時間を超えると、カラオケ制御部６ａは計時に係る処理を終了する。
【００８６】
次に、上述した構成のカラオケ装置６の処理内容を図１２に示す第２フローチャートに基づき説明する。なお、第２フローチャートでは、第１フローチャートの処理で作成された進行表に基づいて開催される会でカラオケ装置６が使用される場合を想定して説明する。なお、作成された進行表（進行表データ）は、時間に対応して再生出力する楽曲を規定したデータに該当している。
【００８７】
先ず、カラオケ装置６は、進行表データを幹事の携帯電話器１０より赤外線通信を通じて受け付けたか否かの状況になり（Ｓ２０）、受け付けていない場合は（Ｓ２０：ＮＯ）、進行表データの受け付け待ちの状態になる。また、進行表データを受け付けた場合（Ｓ２０：ＹＥＳ）、カラオケ装置６は受け付けた進行表データを記憶装置６ｅに記憶すると共に、進行表データに付加された識別データに基づき対応する楽曲データをダウンロードして記憶装置６ｅに記憶しておき、次に計時の開始指示を受け付けたか否かの状況になる（Ｓ２１）。
【００８８】
開始指示を受け付けていない場合（Ｓ２１：ＮＯ）、開始指示の受け付け待ちの状態になる。また、会の開催時刻になってカラオケ装置６が計時の開始指示を受け付けた場合（Ｓ２１：ＹＥＳ）、カラオケ制御部６ａは計時を開始し（Ｓ２２）、次に、再生指示を受け付けたか否かの状況になる（Ｓ２３）。再生指示を受け付けていない場合（Ｓ２３：ＮＯ）、再生指示待ちとなり、また、再生指示を受け付けた場合（Ｓ２３：ＹＥＳ）、指定を受けた楽曲データの再生処理を行い（Ｓ２４）、その再生を行う楽曲データに対応する時間と計時している時間とを比較し、比較による時間差が基準時間内か否かを判定する（Ｓ２５）。
【００８９】
なお、本実施形態では、進行表が規定する開始の時間と計時時間とを比較し、例えば図９に示す進行表の５番目のカラオケに対して楽曲データを再生する場合では、５時３５分と計時している時間とを比較する。この比較による時間差が基準時間内であれば（Ｓ２５：ＹＥＳ）、カラオケ制御部６ａでは状況表示部６ｋに「○」を表示させ、現在の計測時間が終了時刻に到達したか否かを判断する（Ｓ２７）。また、上述の比較により時間差が基準時間を超えていれば（Ｓ２５：ＮＯ）、時間差が生じている旨として実際の時間差（例えば１５分）を状況表示部６ｋで表示させる処理を行う（Ｓ２６）。なお、時間差を表示した後は、上記と同様に終了時刻に到達したか否かの判断を行う（Ｓ２７）。
【００９０】
終了時刻に到達していない場合（Ｓ２７：ＮＯ）、再生指示を受け付ける段階（Ｓ２３）へ戻り、次の再生指示に対する処理待ちになる。また、終了時刻に到達した場合（Ｓ２７：ＹＥＳ）、計時時間に係る比較処理を終了する。
【００９１】
以上のように、本発明のカラオケ装置６では、時間に対応して再生出力する楽曲を規定したデータ（進行表データ）を会の開始前に受け付けることで、自動的に楽曲再生の準備が行われるのでカラオケ設定に対する手間を解消し、幹事の手間を低減している。また、カラオケ装置６は、受け付けたデータ（進行表データ）の順序に基づき楽曲を再生するので、ＢＧＭの楽曲を規定しておくことで余興等のＢＧＭ出力にもカラオケ装置６を活用できる。
【００９２】
さらに、カラオケ装置６は楽曲の再生指示を受け付ける毎に、受け付けたデータ（進行表データ）における再生楽曲に対応する時間と会を開始してからの時間とを比較し、その比較による結果を状況表示部６ｋに表示出力するので、幹事は状況表示部６ｋの表示内容を確認するだけで、現在の会の進行状況を把握でき、把握した状況により飛び入り余興を認めるか否か、予定していた内容の省略、予定していた内容を行う時間の短縮等を決定でき、スムーズな会の進行を行える。
【００９３】
なお、上述した進行表作成システム１及びカラオケ装置６は、上述した形態以外にも様々な変形例があり、例えば、進行表作成システム１では、会の幹事、会への参加を呼びかける者が所有する携帯電話器を用いる以外に、通信機能を具備したＰＤＡ及び通信機能を具備した携帯型のパーソナルコンピュータ等の適用も可能である。これらＰＤＡ及び携帯型のパーソナルコンピュータは表示画面が携帯電話器よりも大きいので作成される進行表の確認も容易になる。
【００９４】
また、図７（ａ）のウェブページ２９に示すように出席を行うものだけが通知する構成にするのではなく、出欠通知が中央装置３へ送信されるように選択可能な「出席」及び「欠席」の項目を設け、「出席」の欄が選択された場合は出席通知が中央装置２へ送信され、「欠席」の欄が選択された場合は欠席通知が中央装置２へ送信されるようにしてもよい。さらに、このような出席又は欠席の通知にはコメントを付加できるようにしてもよい。
【００９５】
さらにまた、図７（ｂ）のウェブページ３０に示すように、スピーチ・余興の募集は早く申込みを行った者から決定していたが、中央装置２で抽選を行ってスピーチ・余興を行う者を決めることも可能である。さらに、作成した進行表（進行表データ）は携帯電話器１０を介在させることなく、携帯電話器１０で送信先を指定することによりネットワーク経由で直接的にカラオケ装置６へ送信するようにしてもよい。
【００９６】
一方、カラオケ装置６が受け付ける時間に対応して再生出力する楽曲を規定したデータには、進行表作成システム１以外で作成されたものも勿論適用可能であり、例えば、幹事が自らデータを作成し、そのデータを通信部６ｂ、リモコン受光部６ｆ又は記憶媒体装着部６ｐのいずれかを通じてカラオケ装置６が受け付けることで、幹事はカラオケ装置６により会の進行把握を行うようにしてもよい。
【図面の簡単な説明】
【００９７】
【図１】本発明の実施形態に係る進行表作成システム及びカラオケ装置を示す概略図である。
【図２】中央装置の構成を示すブロック図である。
【図３】（ａ）はウェブサイトのトップページを示す概略図であり、（ｂ）は会の種類選択に係るウェブページの概略図である。
【図４】（ａ）は会の募集者の名簿送信に係るウェブページの概略図、（ｂ）は会の名称等の登録に係るウェブページの概略図、（ｃ）はスピーチ、余興の回数登録に係るウェブページの概略図である。
【図５】作成された仮進行表を示すウェブページの概略図である。
【図６】（ａ）は返答期限の選択に係るウェブページの概略図、（ｂ）は出欠の問い合わせ送信の承認に係るウェブページの概略図、（ｃ）はスケジュール修正に係るウェブページの概略図である。
【図７】（ａ）は出欠問い合わせに係るウェブページを示す概略図であり、（ｂ）はスピーチ、余興の募集に係るウェブページの概略図である。
【図８】（ａ）は余興の種類選択に係るウェブページの概略図、（ｂ）は曲検索に係るウェブページの概略図、（ｃ）はＢＧＭの要否を確認するウェブページの概略図である。
【図９】作成された進行表を示すウェブページの概略図である。
【図１０】進行表作成方法に係る処理手順を示す第１フローチャートである。
【図１１】本発明の実施形態に係るカラオケ装置の構成を示すブロック図である。
【図１２】カラオケ装置の処理手順を示す第２フローチャートである。
【符号の説明】
【００９８】
１  進行表作成システム
２  中央装置
２ａ  制御部
２ｂ  通信部
３  楽曲ＤＢ装置
４  ネットワーク
６  カラオケ装置
１０〜１３  携帯電話器
２０  トップページ
２１〜３４  ウェブページ
【図１】
2006134258.tif 000003
【図２】
2006134258.tif 000004
【図３】
2006134258.tif 000005
【図４】
2006134258.tif 000006
【図５】
2006134258.tif 000007
【図６】
2006134258.tif 000008
【図７】
2006134258.tif 000009
【図８】
2006134258.tif 000010
【図９】
2006134258.tif 000011
【図１０】
2006134258.tif 000012
【図１１】
2006134258.tif 000013
【図１２】
2006134258.tif 000014